(57)【要約】【課題】複数のコンテンツのうち、あるコンテンツをお勧めしていることを、ユーザにわかりやすく伝える。【解決手段】お勧め制御部（３０３’）は、各コンテンツの表示を開始させるためのコンテンツ毎のオブジェクトを含むお勧め画面であって、コンテンツ毎のオブジェクトのうち、最もお勧めのコンテンツに関するオブジェクトが強調表示されるお勧め画面を生成し、お勧め情報取得部（３０１’）が取得した背景情報に、最もお勧めのコンテンツに関連した背景情報が含まれている場合、最もお勧めのコンテンツに関連した背景情報が示す背景を当該お勧め画面の背景に設定し、表示部（２７）に、お勧め画面、およびお勧め画面の背景を表示する。【選択図】図１０
2018147455.tif 000002
【特許請求の範囲】
【請求項１】
複数のコンテンツのお勧め情報を表示部に表示する表示装置であって、
背景情報を取得する背景情報取得部と、
お勧め画面を生成する画面生成部と、
表示部と
を備え、
上記画面生成部は、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、
上記背景情報取得部が取得した背景情報に、上記最もお勧めのコンテンツに関連した背景情報が含まれている場合、上記最もお勧めのコンテンツに関連した背景情報が示す背景を当該お勧め画面の背景に設定し、
上記表示部に、上記お勧め画面、および当該お勧め画面の背景を表示する
ことを特徴とする表示装置。
【請求項２】
上記画面生成部は、
上記背景情報取得部が取得した背景情報に上記最もお勧めのコンテンツに関連した背景情報が含まれていない場合、上記背景情報取得部が取得した他の背景情報が示す背景を当該お勧め画面の背景に設定する
ことを特徴とする請求項１に記載の表示装置。
【請求項３】
上記画面生成部が設定する背景には、
上記最もお勧めのコンテンツに関する関連情報を表示するための操作オブジェクトが含まれている
ことを特徴とする請求項１または２に記載の表示装置。
【請求項４】
上記背景情報取得部が取得する背景情報は、
予め定められた背景情報、および、上記お勧め画面に含まれるオブジェクトが示すコンテンツのうち、何れか１つのコンテンツに関連付けられた背景情報よりなる
ことを特徴とする請求項１から３の何れか１項に記載の表示装置。
【請求項５】
上記画面生成部は、上記背景を、上記最もお勧めのコンテンツに含まれる画像であって、参照情報に応じた時間的位置又は空間的位置を有する画像に切り替えることを特徴とする請求項１から４の何れか１項に記載の表示装置。
【請求項６】
上記参照情報には、時刻情報が含まれており、
上記画面生成部は、上記最もお勧めのコンテンツに含まれる画像から、上記時刻情報に応じて画像を選択し、選択した画像を上記背景に設定する
ことを特徴とする請求項５に記載の表示装置。
【請求項７】
上記参照情報には、天気情報及び気温情報の少なくとも何れかが含まれており、
上記画面生成部は、上記最もお勧めのコンテンツに含まれる画像から、上記天気情報及び気温情報の少なくとも何れかに応じて画像を選択し、選択した画像を上記背景に設定することを特徴とする請求項５に記載の表示装置。
【請求項８】
上記参照情報には、外部機器から取得した情報が含まれており、
上記画面生成部は、上記最もお勧めのコンテンツに含まれる画像から、上記外部機器から取得した情報に応じて画像を選択し、選択した画像を上記背景に設定することを特徴とする請求項５に記載の表示装置。
【請求項９】
上記参照情報には、ユーザによる選択情報が含まれており、
上記画面生成部は、上記最もお勧めのコンテンツに含まれる画像から、上記ユーザによる選択情報に応じて画像を選択し、選択した画像を上記背景に設定することを特徴とする請求項５に記載の表示装置。
【請求項１０】
上記参照情報には、ユーザの位置を示すユーザ位置情報が含まれており、
上記画面生成部は、上記最もお勧めのコンテンツに含まれるフレームから、上記ユーザ位置情報に応じて定まる位置及びサイズにて画像を切り出し、当該切り出した画像を上記背景に設定することを特徴とする請求項５に記載の表示装置。
【請求項１１】
上記画面生成部は、所定の条件が満たされる場合に、上記最もお勧めのコンテンツに含まれるフレームから、上記ユーザ位置情報に応じて定まる位置及びサイズにて画像を切り出し、当該切り出した画像を上記背景に設定する
ことを特徴とする請求項１０に記載の表示装置。
【請求項１２】
上記所定の条件は、第１の条件と第２の条件とを含み、
上記画面生成部は、
上記第１の条件が満たされる場合に、
ユーザがある位置にいる場合の画像の切り出し面積より、ユーザが上記ある位置よりも当該表示装置に近い位置にいる場合の切り出し面積を大きく設定し、
上記第２の条件が満たされる場合に、
ユーザがある位置にいる場合の画像の切り出し面積より、ユーザが上記ある位置よりも当該表示装置に近い位置にいる場合の切り出し面積を小さく設定する
ことを特徴とする請求項１１に記載の表示装置。
【請求項１３】
上記画面生成部は、上記背景上に、追加のオブジェクトを重畳する
ことを特徴とする請求項１から１２の何れか１項に記載の表示装置。
【請求項１４】
請求項１から１３の何れか１項に記載の表示装置を備えることを特徴とするテレビジョン受像機。
【請求項１５】
複数のコンテンツのお勧め情報を表示部に表示する表示装置の表示制御方法であって、
背景情報を取得する背景情報取得ステップと、
お勧め画面を生成する画面生成ステップと、
表示ステップと
を含み、
上記画面生成ステップは、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および
上記背景情報取得ステップにおいて取得した背景情報に、上記最もお勧めのコンテンツに関連した背景情報が含まれている場合、上記最もお勧めのコンテンツに関連した背景情報が示す背景を当該お勧め画面の背景に設定するステップを含み、
上記表示ステップにおいて、上記お勧め画面、および当該お勧め画面の背景を表示することを特徴とする表示制御方法。
【請求項１６】
請求項１から１３の何れか１項に記載の表示装置としてコンピュータを機能させるための表示制御プログラムであって、上記背景情報取得部および上記画面生成部としてコンピュータを機能させるための表示制御プログラム。
【請求項１７】
請求項１６に記載の表示制御プログラムを記録したコンピュータ読み取り可能な記録媒体。
【請求項１８】
複数のコンテンツのお勧め情報を表示装置に表示させる制御装置であって、
背景情報を取得する背景情報取得部と、
お勧め画面を生成する画面生成部と、
を備え、
上記画面生成部は、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、
上記背景情報取得部が取得した背景情報に上記最もお勧めのコンテンツに関連した背景情報が含まれている場合、上記最もお勧めのコンテンツに関連した背景情報が示す背景を当該お勧め画面の背景に設定する
ことを特徴とする制御装置。
【請求項１９】
複数のコンテンツのお勧め情報を表示装置に表示させる制御装置の制御方法であって、
背景情報を取得する背景情報取得ステップと、
お勧め画面を生成する画面生成ステップと、
を含み、
上記画面生成ステップは、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および
上記背景情報取得ステップにおいて取得した背景情報に上記最もお勧めのコンテンツに関連した背景情報が含まれている場合、上記最もお勧めのコンテンツに関連した背景情報が示す背景を当該お勧め画面の背景に設定するステップを含む
ことを特徴とする制御方法。
【請求項２０】
請求項１８に記載の制御装置としてコンピュータを機能させるための制御プログラムであって、上記背景情報取得部および上記画面生成部としてコンピュータを機能させるための制御プログラム。
【請求項２１】
請求項２０に記載の制御プログラムを記録したコンピュータ読み取り可能な記録媒体。
【発明の詳細な説明】
【技術分野】
【０００１】
本発明は、コンテンツのお勧め情報を表示させる制御装置等に関する。
【背景技術】
【０００２】
ユーザの嗜好に応じた番組を推薦する技術が従来技術として知られている。
【０００３】
表示装置の表示画像上に複数個のオブジェクトを配置し、ユーザが何れかのオブジェクトを選択すると選択されたオブジェクトに応じた画面に遷移する技術が開示されている（特許文献１）。また、背景画像上にコンテンツアイコンを表示し、コンテンツアイコンが選択されると対応するコンテンツ項目を再生する技術であって、注目させたいコンテンツアイコンを強調表示するとともに、注目させたいコンテンツアイコンに関する情報を表示する技術が開示されている（特許文献２）。
【先行技術文献】
【特許文献】
【０００４】
【特許文献１】特開２０１０−１６５３５４号公報（２０１０年７月２９日公開）
【特許文献２】特開２０１１−５４２０５号公報（２０１１年３月１７日公開）
【発明の概要】
【発明が解決しようとする課題】
【０００５】
上述のような従来技術においては、コンテンツをお勧めする方法として、お勧めするコンテンツのオブジェクトを他のコンテンツのオブジェクトよりも大きくする、というお勧め方法にとどまっている。
【０００６】
本発明の一態様は、複数のコンテンツのうち、あるコンテンツをお勧めしていることを、ユーザにわかりやすく伝えることを目的とする。
【課題を解決するための手段】
【０００７】
上記の課題を解決するために、本発明に係る表示装置は、複数のコンテンツのお勧め情報を表示部に表示する表示装置であって、背景情報を取得する背景情報取得部と、お勧め画面を生成する画面生成部と、表示部とを備え、上記画面生成部は、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、上記背景情報取得部が取得した背景情報に、上記最もお勧めのコンテンツに関連した背景情報が含まれている場合、上記最もお勧めのコンテンツに関連した背景情報が示す背景を当該お勧め画面の背景に設定し、上記表示部に、上記お勧め画面、および当該お勧め画面の背景を表示する。
【０００８】
上記の課題を解決するために、本発明に係る表示制御方法は、複数のコンテンツのお勧め情報を表示部に表示する表示装置の表示制御方法であって、背景情報を取得する背景情報取得ステップと、お勧め画面を生成する画面生成ステップと、表示ステップとを含み、上記画面生成ステップは、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および上記背景情報取得ステップにおいて取得した背景情報に、上記最もお勧めのコンテンツに関連した背景情報が含まれている場合、上記最もお勧めのコンテンツに関連した背景情報が示す背景を当該お勧め画面の背景に設定するステップを含み、上記表示ステップにおいて、上記お勧め画面、および当該お勧め画面の背景を表示する。
【０００９】
上記の課題を解決するために、本発明に係る制御装置は、複数のコンテンツのお勧め情報を表示装置に表示させる制御装置であって、背景情報を取得する背景情報取得部と、お勧め画面を生成する画面生成部と、を備え、上記画面生成部は、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、上記背景情報取得部が取得した背景情報に上記最もお勧めのコンテンツに関連した背景情報が含まれている場合、上記最もお勧めのコンテンツに関連した背景情報が示す背景を当該お勧め画面の背景に設定する。
【００１０】
上記の課題を解決するために、本発明に係る制御方法は、複数のコンテンツのお勧め情報を表示装置に表示させる制御装置の制御方法であって、背景情報を取得する背景情報取得ステップと、お勧め画面を生成する画面生成ステップと、を含み、上記画面生成ステップは、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および上記背景情報取得ステップにおいて取得した背景情報に上記最もお勧めのコンテンツに関連した背景情報が含まれている場合、上記最もお勧めのコンテンツに関連した背景情報が示す背景を当該お勧め画面の背景に設定するステップを含む。
【発明の効果】
【００１１】
本発明の一態様によれば、複数のコンテンツのうち、あるコンテンツをお勧めしていることを、ユーザにわかりやすく伝えることができる、という効果を奏する。
【図面の簡単な説明】
【００１２】
【図１】本発明の実施形態１に係る推薦システムの動作を説明する図である。
【図２】お勧め画面の一例を示す図である。
【図３】上記推薦システムの概要を示すブロック図である。
【図４】本発明の実施形態１に係るサーバの要部構成の一例を示すブロック図である。
【図５】カードの生成から表示までの流れを示す図である。
【図６】本発明の実施形態１に係るＳＴＢと端末装置の要部構成の一例を示すブロック図である。
【図７】端末装置の画面遷移の一例を示す図である。
【図８】端末装置の画面遷移の一例を示す図である。
【図９】お勧め画面の表示およびカードの選択に関する処理の流れを示すフローチャートである。
【図１０】本発明の実施形態２に係る表示装置の要部構成の一例を示すブロック図である。
【図１１】本発明の実施形態３に係る表示装置が表示する背景の一例を示す図である。
【図１２】本発明の実施形態３に係る表示装置が表示する背景の一例を示す図である。
【図１３】本発明の実施形態４に係る表示装置の要部構成の一例を示すブロック図である。
【図１４】本発明の実施形態４に係る表示装置が表示する背景の一例を示す図である。
【図１５】本発明の実施形態５に係る表示装置が表示する背景の一例を示す図である。
【発明を実施するための形態】
【００１３】
（実施形態１）
本発明の一実施形態について、図１から図９に基づいて説明する。
【００１４】
〔概要〕
本実施形態の推薦システム５の概要を図１に基づいて説明する。図１は、本実施形態の推薦システム５の動作を説明する図である。図１の（ａ）に示すように、本実施形態の推薦システム５は、ＳＴＢ（Set Top Box）３（制御装置）と端末装置４を含む。ＳＴＢ３は、コンテンツのお勧め情報を端末装置４に表示させる装置である。なお、本実施形態では、端末装置４がテレビジョン受像機（以下、ＴＶと称する場合がある）である例を説明するが、端末装置４はテレビジョン受像機に限定されない。また、ＳＴＢ３と端末装置４の詳細については後述する。
【００１５】
推薦システム５では、図１の（ａ）に示すように、ＳＴＢ３が人感センサによりユーザを検知すると、図１の（ｂ）に示すように、ＳＴＢ３は、図１には図示しないサーバ１からお勧め情報を取得して、端末装置４に表示させる。
【００１６】
また、推薦システム５では、図１の（ｃ）に示すように、ユーザがリモコンのホームキーを押下すると、図１の（ｂ）に示すように、ＳＴＢ３は、図１には図示しないサーバ１からお勧め情報を取得して、端末装置４に表示させる。
【００１７】
〔お勧め画面〕
ＳＴＢ３が表示させるお勧め画面について図２に基づいて説明する。図２は、お勧め画面の一例を示す図である。図示の例では、カード７０Ａ〜７０Ｄが、一画面の中央付近に４つ横一列で配置されている。なお、各カードを区別する必要がないときには、単にカード７０と記載する。
【００１８】
図示のお勧め画面に配置されたカード７０は、ユーザの入力操作によって選択可能である。言い換えれば、各カード７０はそのカード７０にてお勧めするコンテンツを選択させるためのオブジェクトである。図示のように、カード７０が放送コンテンツやネットコンテンツなどのコンテンツをお勧めするものである場合、ＳＴＢ３は上記入力操作に応じてコンテンツを端末装置４に表示させたり、コンテンツの視聴予約や録画予約を端末装置４に行わせたりする。なお、該入力操作は特に限定されない。例えば端末装置４のリモコンの右キー、左キー等をユーザが押下したことに応じて、カード７０Ａ〜７０Ｄのいずれかが選択されてもよい。
【００１９】
お勧め画面において、４つのお勧めするコンテンツのうち、最もお勧めのコンテンツに関するカード７０（図２においてはカード７０Ａ）が強調表示される。本実施形態においては、他のカードよりもカードのサイズを大きく表示することにより、最もお勧めのコンテンツに関するカードが強調表示される。
【００２０】
また、最もお勧めのコンテンツに関連した背景情報が存在する場合、当該背景情報が示す背景をお勧め画面の背景に設定する。図示の例では、お勧め画面の背景に、最もお勧めのコンテンツに関連する画像７１が表示されている。また、背景のうち、図示のお勧め画面の右上付近には、「プロモーションビデオ」のテキストの操作オブジェクト７２が表示されている。操作オブジェクト７２は、最もお勧めのコンテンツに関する関連情報を表示するためのオブジェクトである。本実施形態においては、この操作オブジェクト７２が選択された場合、ＳＴＢ３はお勧め画面に代えて、最もお勧めのコンテンツのプロモーションビデオの再生画面を端末装置４に表示させる。
【００２１】
また、図示のようにお勧め画面はお勧めのコンテンツに関連しない情報を含んでいてもよい。該情報は特に限定されないが、例えば、図示のお勧め画面の上側付近に表示されている情報であってもよい。該情報は、現在時刻、現在の日付および曜日、明日の天気（天気予報）、並びに最高気温および最低気温である。これらの情報は、ＳＴＢ３がサーバから定期的に取得することにより、更新される。
【００２２】
また、図示のお勧め画面の右下付近には３つのアイコン７４ａ，７４ｂ，７４ｃが横一列に表示されている。該アイコン７４ａ，７４ｂ，７４ｃがユーザの入力操作によって選択されると、ＳＴＢ３および端末装置４はアイコンに応じた処理を実行する。
【００２３】
左のアイコン７４ａは、端末装置４にお勧め画面の表示を終了させて放送コンテンツの表示を開始させるためのオブジェクトである。このアイコン７４ａが選択された場合、ＳＴＢ３はお勧め画面に代えて、端末装置４に放送コンテンツを表示させる。つまり、端末装置４に、外部出力（ＳＴＢ３の出力）から内部出力（端末装置４の出力）への出力切り替えを行わせる。
【００２４】
また、中央のアイコン７４ｂは、ユーザにお勧め画面の設定を行わせるためのオブジェクトである。このアイコン７４ｂが選択された場合、ＳＴＢ３はお勧め画面に代えて、お勧め画面の設定を行う設定画面を端末装置４に表示させる。
【００２５】
また、右のアイコン７４ｃは、権利関係の情報を表示させるためのオブジェクトである。このアイコン７４ｃが選択された場合、ＳＴＢ３はお勧め画面に代えて、カード７０としてお勧め画面に表示される各コンテンツの権利に関する情報を提示する画面を端末装置４に表示させる。なお、お勧め画面に表示されるアイコン、および該アイコンがユーザによって選択された場合の処理は、上述した例に限定されない。
【００２６】
また、図示のお勧め画面の左右には矢印アイコン７６ａ，７６ｂが表示されている。矢印アイコン７６ａ，７６ｂは、お勧め画面に配置されるカード７０を切り替えるためのオブジェクトである。矢印アイコン７６ａ，７６ｂがユーザの入力操作によって選択されると、ＳＴＢ３および端末装置４はお勧め画面に配置されるカード７０を切り替える。
【００２７】
なお、表示可能なカード７０が４つに満たない場合は、表示させるカード７０は３つ以下であってもよい。
【００２８】
また、カード７０が配置されている領域の下には、どのカード群が、お勧め画面に配置されているのかを示すインジケータ７８が表示されている。インジケータ７８は、複数の丸印を含んでおり、矢印アイコン７６ａ，７６ｂが選択された場合、強調表示される丸印が切替わる。
【００２９】
〔推薦システム５の概要〕
次に、本実施形態に係る推薦システム５の概要について図３に基づいて説明する。図３は、本実施形態に係る推薦システム５の概要を示すブロック図である。図示のように、本実施形態に係る推薦システム５は、サーバ１、ＳＴＢ３、ＴＶ（端末装置４）、コンテンツ配信サーバ、およびリモートコントローラ（以下、リモコンと記載する）を含む。
【００３０】
本実施形態に係るサーバ１は、ユーザの視聴履歴などに基づいて生成したお勧め情報を、端末装置ではなくＳＴＢ３に送信する。なお、サーバ１が有する各機能が、個別のサーバにて実現されていてもよい。
【００３１】
ＳＴＢ３は、サーバ１が送信するお勧め情報を受信して、お勧め画面（図２参照）を生成し、ＴＶ（端末装置４）に該お勧め画面を表示させる。また、ＳＴＢ３は、上述のようにしてお勧め画面から選択されたコンテンツ（放送コンテンツまたは外部コンテンツ）の表示、放送コンテンツの視聴予約などを端末装置４に実行させる。また、ＳＴＢ３は図示のように人感センサを備えており、上述したように、ユーザを検知すると、ＳＴＢ３は、お勧め情報を端末装置４に表示させる。
【００３２】
ＴＶは、上述の端末装置４である。端末装置４は、一般的なＴＶが備える放送コンテンツを表示する機能に加え、外部コンテンツ（インターネットを介して配信されるネットコンテンツなど）を取得し、表示する機能を備えている。これにより、端末装置４は、お勧め画面から選択された外部コンテンツを表示することができる。
【００３３】
なお、本実施形態においては、ＳＴＢ３とＴＶ（端末装置４）とは別装置であるが、ＴＶ（端末装置４）にＳＴＢ３の機能が搭載されていてもよい。
【００３４】
図示のリモコンは従来のリモコンと同様である。なお、図３では、リモコンが出力した信号をＳＴＢ３が直接受信するように矢印が記載されているが、端末装置４のリモコンを用いる場合には、リモコンが出力した信号は端末装置４が受信する。そして、端末装置４は受信した上記信号をＳＴＢ３に転送し、これによりＳＴＢ３はリモコンによる操作内容を認識する。例えば、お勧め画面が表示された状態で、リモコンの決定キー、または上キーが押下されたことを示す信号を端末装置４が取得した場合、端末装置４は該信号をＳＴＢ３に送信する。ＳＴＢ３は上記信号により、カード７０が選択されたことを知ることができる。
【００３５】
無論、ＳＴＢ３をリモコン（遠隔操作装置）にて直接操作できるようにしてもよい。
【００３６】
コンテンツ配信サーバは、外部コンテンツを端末装置４に送信する。なお、コンテンツ配信サーバは複数あってもよい。
【００３７】
〔サーバ１の要部構成〕
次に、サーバ１の要部構成を図４に基づいて説明する。図４は、サーバ１の要部構成の一例を示すブロック図である。図示のように、サーバ１は、サーバ１の各部を統括して制御するサーバ制御部１０、サーバ１が使用する各種データを記憶するサーバ記憶部１１、およびサーバ１が外部の装置と通信するためのサーバ通信部１２を備えている。
【００３８】
サーバ通信部１２を介した通信相手装置としては、ＳＴＢ３の他、所定のサービスを提供する外部サーバ等が挙げられる。また、１つのサーバ１にて複数のＳＴＢにお勧め情報を提供することが可能である。つまり、サーバ通信部１２を介した通信相手装置には、例えばユーザのリビングのＳＴＢ、寝室のＳＴＢ等が含まれていてもよい。また、自動車等の車両には、通信機能を備えたものも存在するので、このような車両を通信相手のＳＴＢ３としてもよい。また、他の家のテレビ等のように、所有者が異なる機器が通信相手に含まれていてもよい。なお、図４ではサーバ通信部１２を１つのみ図示しているが、複数の通信部を備え、通信相手に応じて異なる通信部を使用してもよい。
【００３９】
また、サーバ制御部１０には、端末認証部１００、ユーザ特定部１０１、お勧め情報生成部１０２、情報管理部１０３、レイアウト選択部１０４、および情報送信部１０５が含まれている。そして、サーバ記憶部１１には、個人・家族・機器ＤＢ１１０、履歴ＤＢ１１１、サービス情報１１２、知識ＤＢ１１３、およびレイアウト情報１１４が格納されている。
【００４０】
端末認証部１００は、ＳＴＢ３の認証を行う。具体的には、端末認証部１００は、ＳＴＢ３から受信した機器ＩＤと、予め登録されている機器ＩＤとが一致するか判定し、一致すれば認証成功、一致しなければ認証失敗とする。認証成功した端末装置２は、お勧め情報の通知対象となる。
【００４１】
ユーザ特定部１０１は、お勧め情報の提示対象のユーザを特定する。具体的には、ユーザ特定部１０１は、ＳＴＢ３から通知されたユーザＩＤのユーザを、お勧め情報の提示対象のユーザと特定する。
【００４２】
お勧め情報生成部１０２は、お勧め情報を生成する。具体的には、お勧め情報生成部１０２は、下記の情報の少なくとも何れかに応じたお勧め情報を生成する。
（１）ユーザ特定部１０１が特定したユーザ
（２）ユーザの個人プロファイル（性別、年齢、趣味、嗜好等）
（３）ユーザの家族プロファイル（住所、家族の構成、家族全体の嗜好）
（４）ユーザが所有する機器（ＳＴＢ３およびＳＴＢ３以外の機器）の機器プロファイル（機器の種類、機器の機能等）
（５）ユーザおよびその家族によるＳＴＢ３の使用履歴情報（どのコンテンツを、どのユーザに対して、いつ表示したかなどの情報）
（６）ユーザが所有する機器の使用履歴情報
（７）他のユーザによる該他のユーザの所有する機器の使用履歴情報
（８）関連付け知識データベース
（９）外部サービスのインデックス情報
（１０）お勧め情報を出力する時刻（現在の時間帯）
（１１）お勧めの対象とする情報（サーバ１がお勧めするコンテンツ、外部サーバから取得したコンテンツリスト等）
なお、お勧め情報生成部１０２は、ユーザ特定部１０１が二人以上のユーザを特定した場合、それら複数のユーザに応じたお勧め情報を生成してもよい。この場合、お勧め情報生成部１０２は、複数のユーザの組み合わせに応じたお勧め情報を生成してもよい。例えば、識別したユーザが、父親と母親である場合には、これら二人のユーザが過去に視聴した頻度の高いジャンルのコンテンツのお勧め情報を生成してもよい。また、複数のユーザに所定のユーザが含まれている場合、その所定のユーザに応じたお勧め情報を生成してもよい。例えば、複数のユーザに１２歳の息子が含まれる場合、１５歳以上に適した映画（コンテンツ）のお勧め情報は生成せず、１２歳でも視聴可能なコンテンツのお勧め情報を生成するようにしてもよい。
【００４３】
また、ユーザ特定部１０１がユーザの特定に失敗することも想定される。このような場合、お勧め情報生成部１０２は、ＳＴＢ３の使用履歴情報・稼働履歴情報に基づいて、登録されている全ユーザ（例えば、家族の全員）に適合するコンテンツのみを、お勧め情報に含めてもよい。
【００４４】
情報管理部１０３は、お勧め情報の生成およびレイアウト情報の選択の際に参照される各種情報を取得し、管理する。例えば、情報管理部１０３は、ＳＴＢ３がお勧め情報を出力する際の状況を示す状況情報、およびＳＴＢ３とは異なる他のＳＴＢの動作履歴情報を取得する。上記状況情報としては、例えば時刻や時間帯、ＳＴＢ３の周囲にいるユーザのユーザＩＤ、該ユーザの数等が挙げられる。また、上記動作履歴情報は、上記他の端末装置の動作履歴を示す情報である。上記動作履歴情報は、例えば起動開始日時と起動停止日時とを含む稼働履歴情報であってもよい。この場合、上記起動開始日時は、電源ＯＮや表示ＯＮの操作が行われた日時であってもよく、上記起動停止日時は、電源ＯＦＦや表示ＯＦＦの操作が行われた日時であってもよい。また、上記動作履歴情報は、上記他の機器が受け付けたユーザ操作の履歴を示す操作履歴情報であってもよい。この場合、電源ＯＮや表示ＯＮ等の操作以外にも、出力コンテンツを選択する操作の履歴等も動作履歴情報に含めることができるので、操作履歴情報を取得することにより、他の端末装置のユーザの好むコンテンツに関するお勧め情報を生成することも可能になる。また、上記他の端末装置がコンテンツの出力装置である場合、上記動作履歴情報は、該他の端末装置におけるコンテンツの視聴履歴情報であってもよい。さらに、上記動作履歴情報（視聴履歴情報）は、上記他の端末装置を操作した（コンテンツを視聴した）ユーザを示す情報を含んでいてもよい。これにより、ＳＴＢ３のユーザと嗜好が近い、他のＳＴＢのユーザの操作履歴（視聴履歴）に応じたお勧め情報を生成することも可能になる。
【００４５】
レイアウト選択部１０４は、お勧め情報の出力に用いるレイアウト情報を、複数のレイアウト情報１１４の中から選択する。
【００４６】
情報送信部１０５は、お勧め情報生成部１０２が生成したお勧め情報と、レイアウト選択部１０４が選択したレイアウトとを端末装置２に通知して、該レイアウトにて上記お勧め情報を出力させる。
【００４７】
個人・家族・機器ＤＢ１１０は、ユーザの個人プロファイル、その家族のプロファイル、およびユーザまたは家族の使用する機器のプロファイルを格納したデータベースである。
【００４８】
個人プロファイルは、ユーザＩＤの他、そのユーザに関する様々な情報（例えば、年齢、性別、趣味、職業、家族構成、所有機器など）を含む。個人プロファイルは、例えば、下記のような情報であってもよい。
個人プロファイル：ユーザＩＤ  Ｐ１２３４、年齢   ３８、性別  女性、趣味  料理、ダンス
家族プロファイルは、家族ＩＤの他、その家族に関する様々な情報（例えば、構成メンバー、共通の趣味など）を含む。家族プロファイルは、例えば、下記のような情報であってもよい。
家族プロファイル：家族ＩＤ  Ｋ２２９９、メンバー  ユーザＩＤ  Ｐ２２３４、ユーザＩＤ  Ｐ３４５５
機器プロファイルは、その機器の機器ＩＤの他、その機器に関する様々な情報（例えば、所有者あるいは所有家族、設置場所、機器の種別等）を含む。機器プロファイルは、例えば、下記のような情報であってもよい。なお、下記の例では設置場所を郵便番号で示しているが、設置場所が特定可能であれば郵便番号や住所以外の情報を適用することができる。例えば、緯度経度情報で示してもよいし、ユーザＩＤ（Ｐ１２３４）のユーザの部屋、等のようにユーザとの関係で配置を示してもよい。
機器プロファイル：機器ＩＤ  Ｘ２３４５、機器の種別  テレビ、画面サイズ  ５２インチ、設置場所〒１２３−４５６７
履歴ＤＢ１１１は、ＳＴＢ３の動作履歴（使用履歴、操作履歴、視聴履歴、または稼働履歴とも呼ぶ）を記録したデータベースである。また、履歴ＤＢ１１１には、ＳＴＢ３以外の機器（ＳＴＢ３のユーザまたはその家族が所有する機器と、該ユーザとは所有者が異なる機器を含む）の動作履歴も記録される。このように、様々な機器、様々なユーザの履歴情報を収集し、記録しておくことにより、他のユーザの行動履歴に応じたお勧め情報を提示することが可能になる。例えば、所定の機種のテレビにて視聴率が高かったコンテンツがある場合、そのコンテンツと類似したコンテンツのお勧め情報を提示することができる。また、例えばユーザと嗜好が類似した他のユーザが視聴したコンテンツのお勧め情報を提示することもできる。
【００４９】
例えば、ユーザごとの操作履歴を履歴ＤＢ１１１に記録してもよい。この場合、ＳＴＢ３の機器ＩＤと、視聴したユーザのユーザＩＤの他、(i)テレビの表示のオン・オフの時刻（日時を含んでもよい）、(ii)視聴したテレビ番組（録画したものであってもよい）の番組情報、および(iii)視聴時刻を記録してもよい。なお、ネットコンテンツの視聴履歴や、アプリのダウンロード履歴なども記録しておいてもよい。
【００５０】
サービス情報１１２は、外部サーバから取得した外部サービスに関する情報（外部サービスのインデックス情報）である。例えば、放送コンテンツに関するサービス情報１１２は、放送日時、放送局、コンテンツのタイトル、コンテンツの内容、およびジャンル（例えばドラマや映画、ＳＦ等）等を含んでいてもよい。また、例えばＶＯＤ（Video On Demand）コンテンツに関するサービス情報１１２は、コンテンツのタイトル、出演者、コン
テンツの内容、およびジャンル等を含んでいてもよい。そして、例えばアプリに関するサービス情報１１２は、タイトル（アプリ名）、アプリの内容、およびジャンル（地図アプリ、ゲームアプリ等）、アプリに対するユーザの評価等を含んでいてもよい。なお、サービス情報１１２は、図示しない一時記憶部に記憶しておいてもよい。
【００５１】
知識ＤＢ１１３は、お勧め情報を生成するためのその他の情報を記録したデータベースである。例えば、年間行事（今日は何の日等）、ローカル情報（ゴミの日等）等が知識ＤＢ１１３に記録される。この他、単語間距離を示す辞書等も知識ＤＢ１１３に記録してもよい。知識ＤＢ１１３は適宜アップデートして最新の知識とすることが可能である。また、知識ＤＢ１１３に記録する情報は、外部サーバを巡回する等して学習することが可能である。この他、お勧め情報を音声出力したりテキスト出力したりするための出力フレーズを知識ＤＢ１１３に記憶しておいてもよい。
【００５２】
レイアウト情報１１４は、お勧め情報を出力するフォーマットのうち、表示レイアウトを示す情報である。本例では、複数のレイアウト情報１１４の中から選択したレイアウト情報にてお勧め情報を表示させる例を説明するが、他の出力フォーマット（例えば音声出力のフォーマット）についても、同様にして複数の候補から選択し、そのフォーマットにてお勧め情報を出力させることができる。
【００５３】
〔カードの生成から表示までの流れ〕
次に、カード７０の生成から表示までの流れについて、図５に基づいて説明する。図５は、カードの生成から表示までの流れを示す図である。学習サーバは端末装置４におけるコンテンツの視聴履歴をＳＴＢ３または端末装置４から取得して、その視聴履歴をＳＴＢ３または端末装置４における視聴履歴として記録している。なお、コンテンツを視聴したユーザの識別を行っている場合は、当該ユーザの視聴履歴として記録してもよい。
【００５４】
配信サーバは、カード７０の元になるメタ情報をコンテンツプロバイダから取得する。また、この際に、カード７０の表示に関するコンテンツプロバイダの意向や要望を示すインテンド情報も取得してもよい。インテンド情報は、例えばサムネイル画像の表示可否や表示有効期限、優先度等を示す情報であってもよい。
【００５５】
そして、配信サーバは、上記メタ情報と視聴履歴から、端末装置４に表示させるべきカード７０を決定する。また、配信サーバは、上記メタ情報から決定したカード７０に対応する背景を決定する。背景は、決定したカード７０に関連する情報を示す背景が好ましいが、決定したカード７０に関連する情報が存在しない場合には、決定したカード７０には関連しないが、カード７０に対応させる情報を示す背景が背景として決定される。配信サーバは、決定したカード７０と、決定したカード７０に対応する背景とをＳＴＢ３に送信する。このように、配信サーバがカード７０を決定することにより、多様なコンテンツプロバイダの提供するコンテンツのお勧め情報をカード７０という形式でユーザに提示することができる。つまり、配信サーバは、コンテンツプロバイダを問わずにコンテンツの推薦を行うことができるプラットフォームを提供している。
【００５６】
そして、ＳＴＢ３は、受信したカード７０、および最もお勧めのコンテンツのカード７０に対応する背景を端末装置４に表示させる。このとき、ＳＴＢ３は、カード７０に対するインテンド情報に基づいてカード７０の表示内容を変更等してもよい。なお、この際のＳＴＢ３の処理は、コンテンツプロバイダのアプリケーションソフトウェア（ＣＰ−Ａｐｐｓ）をＳＴＢ３にインストールすることで実行してもよい。
【００５７】
〔サーバの実行する処理〕
上述の学習サーバと配信サーバの機能は、図４に示した１つのサーバ１にて実現することができる。これについて、図４に基づいて説明する。
【００５８】
情報管理部１０３は、端末装置４におけるコンテンツの視聴履歴の取得と記録を行う。なお、視聴履歴は直接端末装置４から取得してもよいし、ＳＴＢ３を介して取得してもよい。取得した視聴履歴は、端末装置４の機器ＩＤと対応付けて履歴ＤＢ１１１に格納される。
【００５９】
お勧め情報生成部１０２は、カード７０、およびカード７０の背景を表示するために必要な各種データとインテンド情報を対応付けたお勧め情報を生成する。カード７０、およびカード７０の背景は、お勧めするコンテンツ１つに対して１つ生成される。これによりお勧めする１つのコンテンツに対して１枚のカード７０、およびカード７０の背景が表示されることになる。以下、お勧め情報の生成について説明する。
【００６０】
まず、お勧め情報生成部１０２は、下記の３通りの方法でお勧めするコンテンツを決定する。お勧めするコンテンツが偏らないように、各方法のそれぞれで複数のコンテンツを決定することが好ましい。なお、お勧めするコンテンツの決定方法は特に限定されず、例えば前提となる構成で述べたような方法で決定してもよい。
（１）視聴履歴に基づくお勧め
（２）外部サービスからのお勧め
（３）ランキングに基づくお勧め
なお、上記（１）は、端末装置４において、よく視聴されているコンテンツ、よく視聴されているジャンルのコンテンツ、よく視聴されているコンテンツに共通して出演している出演者が出演しているコンテンツをお勧めコンテンツとするものである。また、上記（２）は、コンテンツプロバイダが指定したコンテンツや、コンテンツプロバイダにおける視聴回数や録画または視聴予約数のランクが高いコンテンツをお勧めコンテンツとするものである。そして、上記（３）は、その時点での視聴率や視聴者数が多いコンテンツをお勧めコンテンツとするものである。
【００６１】
次に、お勧め情報生成部１０２は、お勧めするコンテンツのメタ情報およびインテンド情報をそのコンテンツのコンテンツプロバイダ等から取得する。
【００６２】
お勧め情報生成部１０２は、取得したメタ情報から、カード７０に表示させるべき各データを生成する。また、カード７０に対応する背景を示す背景情報のデータを生成する。そして、生成または取得した上述の各データとインテンド情報を対応付けて１枚のカード７０に対応するお勧め情報として生成する。
【００６３】
お勧め情報生成部１０２が生成したお勧め情報は、情報送信部１０５によってＳＴＢ３に送信される。コンテンツが放送コンテンツである場合のお勧め情報は、例えば、コンテンツをお勧めする理由、放送局名、放送日時、コンテンツのタイトルおよび内容、コンテンツのサムネイルを含んでいてもよい。また、コンテンツが外部コンテンツである場合、上記放送局名がコンテンツプロバイダ名に、放送日時が再生時間にそれぞれ変更されてもよい。なお、送信するお勧め情報の数、すなわちカード７０の数は、５以上とすることが好ましい。これにより、ＳＴＢ３側で表示させるカード７０を選択する余地が生じる。
【００６４】
なお、お勧め情報生成部１０２がお勧め情報としてカード７０を生成し、レイアウト選択部１０４がこのカード７０を図２のようなレイアウトに配置し、最もお勧めのコンテンツに関連した背景を合成したお勧め画面を生成して、情報送信部１０５がこのお勧め画面をＳＴＢ３に送信してもよい。この場合、ＳＴＢ３は、受信したお勧め画面をそのまま端末装置４に表示させればよい。
【００６５】
〔ＳＴＢの要部構成〕
ＳＴＢ３の要部構成を図６に基づいて説明する。図６は、ＳＴＢ３と端末装置４の要部構成の一例を示すブロック図である。図示のように、ＳＴＢ３は、ＳＴＢ制御部３０、ＳＴＢ記憶部３１、ＳＴＢ通信部３２、ＳＴＢ−端末通信部３３、および人感センサ３４を備えている。また、ＳＴＢ制御部３０は、ユーザ有無判定部３００、お勧め情報取得部３０１、お勧め内容決定部３０２、お勧め制御部３０３、およびＦＢ処理部３０４を含む。
【００６６】
ＳＴＢ制御部３０はＳＴＢ３の各部を統括して制御するものであり、ＳＴＢ記憶部３１はＳＴＢ３が使用する各種データを記憶するものである。また、ＳＴＢ通信部３２はＳＴＢ３が外部の装置（例えばサーバ１）と通信するためのものであり、ＳＴＢ−端末通信部３３はＳＴＢ３が端末装置４と通信するためのものである。なお、ＳＴＢ３と端末装置４の通信方式は特に限定されないが、ここではＨＤＭＩ（登録商標）による有線接続である例を説明する。そして、ＳＴＢ音声出力部３５はＳＴＢ制御部３０の制御に従って音声を出力するものである。
【００６７】
ユーザ有無判定部３００は、ＳＴＢ３の周囲のユーザを検出して、ＳＴＢ３を起動（端末装置４に画像を出力可能な状態に遷移）させる。
【００６８】
お勧め情報取得部（背景情報取得部）３０１は、サーバ１からお勧め情報、すなわちカード７０を表示するために必要な各種データとインテンド情報を対応付けた情報を取得する。また、お勧め情報取得部３０１は、サーバ１から、カード７０に対応する背景を示す背景情報も取得する。
【００６９】
カード７０に対応する背景を表示するための背景情報には、予め定められた背景情報、および、お勧め画面に含まれるオブジェクトが示すコンテンツのうち、何れか１つのコンテンツに関連付けられた背景情報が含まれる。
【００７０】
お勧め内容決定部３０２は、端末装置４に表示させるお勧め情報を決定する。この際、お勧め内容決定部３０２は、放送時間が所定時間以下（例えば、放送時間の２／３が経過しているなど）の放送コンテンツについては、端末装置４に表示させるお勧め情報としないことが好ましい。なお、上記「所定時間」は、上記の例のようにお勧めする放送コンテンツの放送時間の長さに応じて決められた時間であってもよいし、例えば１０分等の固定的な時間であってもよい。また、放送開始直前（例えば、放送開始５分前など）の放送コンテンツについて、そのコンテンツの録画予約をお勧めするお勧め情報は、端末装置４に表示させるお勧め情報としないことが好ましい。これにより、お勧め情報が選択されたが、そのコンテンツを冒頭から録画できないという状況を防ぐことができる。
【００７１】
なお、お勧め内容決定部３０２は、端末装置４およびそのユーザの少なくとも何れかに応じて端末装置４に表示させるお勧め情報を決定してもよい。例えば年齢制限のあるコンテンツのお勧め情報は、その年齢制限にかかるユーザが視聴する端末装置４に表示させないようにしてもよい。また、どのようなコンテンツのお勧め情報を表示させるか（あるいは表示させないか）をユーザが設定可能としてもよく、この場合、お勧め内容決定部３０２は、ユーザの設定に従ってお勧め情報を選択する。このように、サーバ１側ではなく、ユーザの所持するＳＴＢ３側でお勧め情報の選択基準を設定可能とすることにより、サーバ１は複数のＳＴＢ３に共通のお勧め情報を一括で送信することが可能になり、効率のよい送信が可能になる。また、ＳＴＢ３は、サーバ１からお勧め情報を受信済みであるが、選択基準によってそれを表示しないだけであるから、選択基準を変更すれば、サーバ１にアクセスすることなくそのお勧め情報を表示させることができる。
【００７２】
さらに、お勧め内容決定部３０２は、お勧め情報を表示させるタイミングに応じてお勧め情報の表示内容を変更する。具体的には、お勧め内容決定部３０２は、お勧め情報にコンテンツのサムネイル画像が含まれている場合に、インテンド情報として該サムネイル画像の表示を許可する情報が含まれているか否かを判定する。そして、含まれていると判定した場合には、そのサムネイル画像を表示すると決定し、含まれていないと判定した場合には、そのサムネイル画像を表示しないと決定する。なお、インテンド情報にサムネイル画像の表示を許可する期間を示す情報が含まれている場合、お勧め内容決定部３０２は、現在の時刻がその期間内であるか否かを判定し、期間外であれば表示しないと決定する。表示しない場合、お勧め内容決定部３０２は、画像表示領域を空白としてもよいし、お勧めするコンテンツのジャンルを示す画像を画像表示領域に表示してもよい。
【００７３】
また、お勧め内容決定部３０２は、お勧め情報取得部３０１が取得した複数のお勧め情報に優先度が設定されている場合、その優先度に従って、表示させるお勧め情報を決定する。お勧め情報の優先度を示す情報は、例えばインテンド情報に含まれていてもよい。そして、お勧め情報取得部３０１が取得したお勧め情報に、表示させることが必須であることを示す表示必須情報を含む必須お勧め情報が含まれている場合には、お勧め内容決定部３０２は、上記優先度にかかわらず必須お勧め情報を表示させる。表示必須情報もインテンド情報に含まれていてもよい。この場合、コンテンツプロバイダ側でお勧め情報の表示を制御することができる。つまり、コンテンツプロバイダは、表示必須情報や高い優先度の設定をインテンド情報に含めることにより、特定のコンテンツのお勧め情報を必ず表示させたり、高い確率で表示させたりすることが可能になる。
【００７４】
また、お勧め内容決定部３０２は、最もお勧めのコンテンツを決定する。
【００７５】
お勧め制御部（画面生成部）３０３は、お勧め内容決定部３０２の決定に応じてお勧め画面を生成する。お勧め画面とは、各コンテンツの表示を開始させるためのコンテンツ毎のオブジェクトを含む。お勧め制御部３０３は、コンテンツ毎のオブジェクトのうち、お勧め内容決定部３０２が決定した最もお勧めのコンテンツに関するオブジェクトが強調表示されるお勧め画面を生成する。また、お勧め制御部３０３は、お勧め情報取得部３０１が取得した背景情報に、最もお勧めのコンテンツに関連した背景情報が含まれている場合、最もお勧めのコンテンツに関連した背景情報が示す背景を当該お勧め画面の背景に設定する。一方で、お勧め情報取得部３０１が取得した背景情報に、最もお勧めのコンテンツに関連した背景情報が含まれていない場合、お勧め制御部３０３は、お勧め情報取得部３０１が取得した他の背景情報が示す背景をお勧め画面の背景に設定する。
【００７６】
お勧め制御部３０３は、背景を設定したお勧め画面の情報を端末装置４に出力する。なお、お勧め画面に含ませたオブジェクトがお勧めするコンテンツが放送コンテンツである場合に、該コンテンツの放送時間が所定時間以下となったときには、お勧め制御部３０３は、当該オブジェクトのお勧め画面への表示を終了させる。この場合、放送時間が所定時間以下となっていない放送コンテンツのオブジェクトや、外部コンテンツ等のオブジェクトについてはお勧め画面への表示を継続してもよく、表示を終了させたオブジェクトに代わる新たなオブジェクトを追加してもよい。追加する場合、表示を終了させたオブジェクトと関連するオブジェクト（例えばお勧めの理由が同じものや、放送コンテンツの視聴をお勧めするもの）を追加することが好ましい。また、お勧め画面自体を更新してもよい。
【００７７】
さらに、お勧め制御部３０３は、端末装置４にて選択されたお勧め情報のコンテンツを当該端末装置４に出力させる。具体的には、お勧め画面を表示している状態において、端末装置４のリモコンの何れかのキーが押下されると、端末装置４のＳＴＢ連携制御部４００は押下されたキーを示す信号をＳＴＢ３に送信する。そして、お勧め制御部３０３は、上記信号から選択されたお勧め情報を特定し、該お勧め情報のコンテンツを出力するように端末装置４に指示する。
【００７８】
ＦＢ処理部３０４は、端末装置４に表示させて選択されたお勧め情報と、端末装置４に表示させたが選択されなかったお勧め情報をそれぞれ特定し、特定結果を所定の通知先装置に通知する。具体的には、特定結果はサーバ１に通知し、通知した特定結果は、サーバ１の情報管理部１０３が取得し、履歴ＤＢ１１１に記録する。具体的には、情報管理部１０３は、コンテンツ、端末装置４のＩＤ（ユーザが特定できる場合にはユーザＩＤも）、および選択されたか否かを示す情報を対応付けて記録する。また、コンテンツをお勧めした日時などを併せて記録してもよい。なお、図５の例のように、配信サーバと学習サーバが分かれている場合には、上記「所定の通知先装置」は、ＳＴＢ３に提供するお勧め情報を決定するサーバ、すなわち学習サーバとなる。
【００７９】
この記録は、お勧め情報生成部１０２による次回以降のお勧め情報の生成に反映される。つまり、お勧め情報生成部１０２は、ユーザに選択されたコンテンツについては、端末装置４のユーザの嗜好に合致しているものと判定する。そして、該コンテンツと同じジャンルのコンテンツ、該コンテンツと同じ出演者が出演しているコンテンツ等、該コンテンツに関連したコンテンツを優先的にお勧め情報とする。逆に、ユーザに選択されなかったコンテンツについては、端末装置４のユーザの嗜好に合致していないものと判定する。そして、該コンテンツと同じジャンルのコンテンツ、該コンテンツと同じ出演者が出演しているコンテンツ等、該コンテンツに関連したコンテンツはお勧め情報とする優先度を下げる。
【００８０】
ただし、ユーザの嗜好に合ったお勧め情報であっても、ユーザにコンテンツを視聴する時間がないとき等には選択されないため、選択されなかったお勧め情報が、ユーザの嗜好に合わないとはせず、嗜好に合うと嗜好に合わないとの中間的な評価としてもよい。これにより、このようなコンテンツについて、ユーザの嗜好に合うことが分かっているコンテンツよりはお勧めされる可能性を下げつつ、ユーザの嗜好に合わないことが分かっているコンテンツよりも優先してお勧めすることが可能になる。
【００８１】
なお、お勧め情報を選択してコンテンツの視聴が開始されたが、コンテンツが最後まで視聴されることなく、視聴が終了されることも考えられる。特に、コンテンツの視聴時間が短かった場合には、そのコンテンツはユーザの嗜好に合わなかった可能性がある。そこで、ＦＢ処理部３０４は、お勧め情報が選択された後、そのお勧めにかかるコンテンツが視聴された時間を計測し、その時間についてもサーバ１に通知してもよい。これにより、サーバ１は、視聴時間に応じた重み付けをする等の手法により、ユーザの嗜好に合うコンテンツのお勧め情報を選択できるようになる。
【００８２】
〔端末装置の要部構成〕
次に、端末装置４の要部構成を図６に基づいて説明する。図６は、端末装置４の要部構成の一例を示すブロック図である。図示のように、端末装置４は、端末装置４の各部を統括して制御する端末制御部２０、端末装置４が使用する各種データを記憶する端末記憶部２１、端末装置４が外部の装置と通信するための端末通信部２２を備えている。この他にも、端末装置４は、放送受信部２６、表示部２７、入力部２８、および端末音声出力部（例えばスピーカ）を備えている。また、図示していないが、端末装置４は、ユーザの音声を取得して音声信号に変換する音声入力部（例えばマイク）等を備えていてもよい。
【００８３】
また、端末制御部２０には、放送コンテンツ制御部２０５、内部コンテンツ制御部２０６、外部コンテンツ制御部２０７、出力切替部２０９、およびＳＴＢ連携制御部４００が含まれている。
【００８４】
放送受信部２６は、放送コンテンツを受信する。表示部２７は、端末制御部２０の制御に従って画像を表示する。入力部２８は、端末装置４のユーザの入力操作を受け付ける。入力部２８は、例えばリモコンの発する信号（例えば赤外線信号）の受信部であってもよい。
【００８５】
放送コンテンツ制御部２０５は、放送コンテンツを表示部２７に表示し、内部コンテンツ制御部２０６は、内部コンテンツを表示部２７に表示し、外部コンテンツ制御部２０７は、外部コンテンツを表示部２７に表示する。
【００８６】
出力切替部２０９は、端末装置２の出力対象を、放送コンテンツ、内部コンテンツ、外部コンテンツ、およびお勧め画面の何れかに切り替える。なお、切り替え対象にはこれら以外のものが含まれていてもよい。
【００８７】
端末−ＳＴＢ通信部４０は、端末装置４がＳＴＢ３と通信するためのものである。上述のように、ここではＨＤＭＩ（登録商標）にて通信する例を説明する。
【００８８】
ＳＴＢ連携制御部４００は、ＳＴＢ３の制御に従って端末装置４の出力を切り替えさせる制御を行う。具体的には、ＳＴＢ連携制御部４００は、ＳＴＢ３からお勧め画面を受信したことに応じて、出力切替部２０９に指示して、表示部２７に出力させる画像をＳＴＢ３から受信したお勧め画面に切り替えさせる。
【００８９】
〔端末装置４の画面遷移（テレビ番組のお勧め情報を表示する場合の一例）〕
端末装置４における表示部２７の画面遷移の一例を図７に基づいて説明する。図７は、コンテンツとしてのテレビ番組をお勧めするお勧め画面からの画面遷移の一例を示す図である。
【００９０】
図７の（ａ）に示す例では、お勧め画面において、お勧めのテレビ番組に関するオブジェクトとして４枚のカードが横一列で配置されており、最もお勧めのテレビ番組に関するオブジェクトとしてカード７０Ａが強調表示されている。また、お勧め画面の右上には、最お勧めのテレビ番組に関する関連情報としてのプロモーションビデオを表示するための操作オブジェクト７２Ａが表示されている。
【００９１】
また、図７の（ａ）に示す画面においては、ユーザによるリモコンのキー操作により、最もお勧めのテレビ番組に関するカード７０Ａが選択されている。この図７の（ａ）に示す画面において、ユーザがリモコンの決定キーを押下すると、表示部２７の表示画面は、図７の（ｂ）に示すテレビ番組の番組表を表示する画面に遷移する。ユーザは、図７の（ｂ）に示す画面にてお勧めされたテレビ番組を予約することができる。
【００９２】
また、図７の（ａ）に示す画面において、ユーザがリモコンの上キーを押下すると、図７の（ｃ）に示すように、操作オブジェクト７２が選択される。図７の（ｃ）に示す画面において、ユーザがリモコンの決定キーを押下すると、表示部２７の表示画面は、図７の（ｄ）に示すように、ｙｏｕｔｕｂｅ（登録商標）等のお勧めされたテレビ番組に関するプロモーションビデオを再生表示する画面に遷移する。ユーザは、図７の（ｄ）に示す画面にてお勧めされたテレビ番組のプロモーションビデオを視聴することができる。
【００９３】
〔端末装置４の画面遷移（外部コンテンツのお勧め情報を表示する場合の一例）〕
端末装置４における表示部２７の画面遷移の他の例を図８に基づいて説明する。図８は、外部コンテンツをお勧めするお勧め画面からの画面遷移の一例を示す図である。
【００９４】
図８の（ａ）に示す例では、お勧め画面において、お勧めの外部コンテンツに関するオブジェクトとして４枚のカードが横一列で配置されており、最もお勧めの外部コンテンツに関するオブジェクトとしてカード７０Ａ’が強調表示されている。また、お勧め画面の右上には、最お勧めの外部コンテンツに関する関連情報を表示するための操作オブジェクト７２Ａ’が表示されている。
【００９５】
また、図８の（ａ）に示す画面においては、ユーザによるリモコンのキー操作により、最もお勧めの外部コンテンツに関する関連情報を表示するための操作オブジェクト７２Ａ’が選択されている。この図８の（ａ）に示す画面において、ユーザがリモコンの決定キーを押下すると、表示部２７の表示画面は、図８の（ｂ）に示す最もお勧めの外部コンテンツに関する関連情報を表示する画面に遷移する。表示部２７は、関連情報として、図８の（ｂ）に示すように、「猫物語」というコンテンツの最終話が追加されたという情報、および選択された「猫物語」というコンテンツを供給するプロバイダが供給可能な他のコンテンツを紹介する情報を表示してもよい。
【００９６】
〔処理の流れ（お勧め画面の表示およびカード７０の選択）〕
次に、ＳＴＢ３が実行する、お勧め画面の表示およびカード７０の選択に関する処理（制御装置の制御方法）の流れを図９に基づいて説明する。図９は、お勧め画面の表示およびカード７０の選択に関する処理の流れを示すフローチャートである。
【００９７】
まず、ＳＴＢ３の処理を説明する。ユーザ有無判定部３００は、人感センサ３４の検出結果から、ＳＴＢ３の周囲に人（ユーザ）を検出したと判定する（Ｓ１００）。
【００９８】
次に、お勧め情報取得部３０１は、端末装置４のＩＤとともに、お勧め情報要求をサーバ１に送信する（Ｓ１０１）。このように、端末装置４のＩＤを送信することにより、端末装置４のユーザの嗜好に合ったお勧め情報を取得することができる。なお、ＳＴＢ３を他の端末装置に接続したときには、当該他の端末装置のＩＤを送信するので、他の端末装置のユーザの嗜好に合ったお勧め情報を取得することができる。
【００９９】
そして、お勧め情報取得部３０１は、お勧め情報要求に対する応答として、サーバ１からお勧め情報を受信し（Ｓ１０２：背景情報取得ステップ）、お勧め内容決定部３０２が端末装置４に表示させる内容を決定する。さらに、お勧め制御部３０３は、受信した複数のお勧め情報からお勧め画面（図２参照）に表示させる４枚のカード７０、および４枚のうち強調表示をさせる１枚のカードを決定し、お勧め画面を生成する。また、お勧め制御部３０３は、最もお勧めのコンテンツに関連した背景情報が示す背景を当該お勧め画面の背景に設定する（Ｓ１０３：画面生成ステップ）。
【０１００】
お勧め制御部３０３は、ＳＴＢ−端末通信部３３を介して、お勧め画面を送信し、端末装置４に表示を行う（Ｓ１０４）。これにより、端末装置４のＳＴＢ連携制御部４００は、出力切替部２０９に指示して、表示部２７に出力させる画像をＳＴＢ３から受信した画像、すなわちお勧め画面に切り替えさせる。
【０１０１】
お勧め画面を表示させた後、ＦＢ処理部３０４は、カード７０の選択を待機する状態となっている（Ｓ１０５）。カード７０が選択された（例えば、リモコンの選択したことを示す何れかのキーが押下されたことを示す信号を受信した）場合（Ｓ１０５でＹＥＳ）、ＦＢ処理部３０４は、選択されたコンテンツを特定するとともに、選択コンテンツ以外のコンテンツを非選択コンテンツとして特定し、サーバ１に通知する（Ｓ１０６）。
【０１０２】
一方、ＦＢ処理部３０４は、カード７０が選択されなかった（例えば、ＳＴＢ連携制御部４００から、リモコンの選択したことを示す何れかのキーが押下されたことを示す信号を受信することなく、端末装置４をＯＦＦ状態とするための信号を受信した）場合（Ｓ１０５でＮＯ）、全てのカード７０のコンテンツを非選択コンテンツとしてサーバ１に通知する（Ｓ１０７）。以上で、ＳＴＢ３の処理は終了する。
【０１０３】
その後、ユーザがリモコンの電源ボタンを押下すると、端末装置４はリモコンからの信号に従ってＯＦＦ状態となる。このとき、端末装置４はＳＴＢ３にＯＦＦ状態となる旨を示す通知（ＯＦＦ通知）を送信する。これにより、ＳＴＢ３は端末装置４がＯＦＦ状態となったことを認識することができる。なお、端末装置４をＯＦＦ状態とする方法はこの例に限定されない。例えば、ユーザが人感センサ３４の検出圏外に出たときに端末装置４がＯＦＦ状態となってもよい。この例の場合、ＳＴＢ３はユーザが人感センサ３４の検出圏外に出たことを検知すると、端末装置４に終了指示を送信する。端末装置４は、該終了指示に従ってＯＦＦ状態となるとともに、ＳＴＢ３にＯＦＦ通知を送信する。これにより、ＳＴＢ３は端末装置４が指示通りＯＦＦ状態となったことを認識することができる。
【０１０４】
続いてサーバ１の処理を説明する。お勧め情報生成部１０２は、ＳＴＢ３から送信されたお勧め情報要求を受信すると、お勧め情報を生成する（Ｓ１１０）。そして、情報送信部１０５は、生成されたお勧め情報をＳＴＢ３に送信する（Ｓ１１１）。また、情報管理部１０３は、選択コンテンツおよび非選択コンテンツ、または非選択コンテンツのみを通知されると、通知されたコンテンツを履歴ＤＢ１１１に記録する（Ｓ１１２）。以上で、サーバ１の処理は終了する。
【０１０５】
（実施形態２）
本発明の他の実施形態について、図１０に基づいて説明すれば、以下のとおりである。なお、説明の便宜上、前記実施形態にて説明した部材と同じ機能を有する部材については、その説明を省略する。
【０１０６】
〔表示装置５’〕
図１０は、本発明の実施形態２に係る表示装置５’の要部構成を示すブロック図である。
【０１０７】
表示装置５’は、制御部２０’、記憶部２１’、通信部２２’、放送受信部２６、表示部２７、入力部２８、および人感センサ３４’を備えている。表示装置５’の記憶部２１’、通信部２２’、放送受信部２６、表示部２７、および入力部２８は、それぞれ、実施形態１に係る端末装置４の端末記憶部２１、端末通信部２２、放送受信部２６、表示部２７、および入力部２８に対応する。また、表示装置５’の人感センサ３４’は、実施形態１のＳＴＢ３の人感センサ３４と対応する。
【０１０８】
表示装置５’の制御部２０’は、放送コンテンツ制御部２０５、内部コンテンツ制御部２０６、外部コンテンツ制御部２０７、出力切替部２０９、ユーザ有無判定部３００’、お勧め情報取得部３０１’、お勧め内容決定部３０２’、およびお勧め制御部３０３’として機能する。
【０１０９】
表示装置５’の制御部２０’の放送コンテンツ制御部２０５、内部コンテンツ制御部２０６、外部コンテンツ制御部２０７、および出力切替部２０９は、それぞれ、実施形態１に係る端末装置４の端末制御部２０の放送コンテンツ制御部２０５、内部コンテンツ制御部２０６、外部コンテンツ制御部２０７、および出力切替部２０９と対応する。また、表示装置５’の制御部２０’のユーザ有無判定部３００’、お勧め情報取得部３０１’、お勧め内容決定部３０２’、およびお勧め制御部３０３’は、それぞれ、実施形態１のＳＴＢ３のＳＴＢ制御部３０のユーザ有無判定部３００、お勧め情報取得部３０１、お勧め内容決定部３０２、およびお勧め制御部３０３と対応する。
【０１１０】
すなわち、本実施形態では、表示装置５’が単体で、実施形態１における推薦システム５の機能を果たす。なお、本実施形態では、表示装置５’がテレビジョン受像機であるが、表示装置５’はテレビジョン受像機に限定されない。
【０１１１】
〔処理の流れ（お勧め画面の表示およびカード７０の選択）〕
本実施形態に係る表示装置５’が実行する、お勧め画面の表示およびカード７０の選択に関する処理（表示装置の表示制御方法）の流れは、図９を参照して説明した実施形態１のＳＴＢ３の処理の流れと同様である。
【０１１２】
なお、実施形態１においては、背景情報取得の機能（お勧め情報取得部３０１）、および画面生成の機能（お勧め制御部３０３）は、ＳＴＢ３が備えおり、実施形態２においては、背景情報取得の機能（お勧め情報取得部３０１’）、および画面生成の機能（お勧め制御部３０３’）は、表示装置５’が備えている。しかしながら、背景情報取得の機能、および画面生成の機能は、これら以外の機器に備わっていてもよい。例えば、レコーダー、ゲーム機、ＰＣ、スマートフォン、タブレット端末、携帯端末等に備わっていてもよい。
【０１１３】
（実施形態３）
本発明の他の実施形態について、図１１〜図１２に基づいて説明すれば、以下のとおりである。なお、説明の便宜上、前記実施形態にて説明した部材と同じ機能を有する部材については、その説明を省略する。
【０１１４】
本実施形態は、お勧め制御部３０３’が、お勧め画面の背景を、参照情報に応じて設定する点において、前記実施形態と異なる。
【０１１５】
参照情報として、時刻情報、天気情報、気温情報、外部機器から取得した情報、およびユーザによる選択情報を挙げることができる。
【０１１６】
お勧め制御部３０３’は、お勧め画面を生成する場合、参照情報を取得した場合、予め定められている特定の場合等に、背景を設定する。すなわち、お勧め制御部３０３’が設定する背景は、切り替わる。
【０１１７】
本実施形態において、背景情報が示す画像の例は、最もお勧めのコンテンツに含まれる画像であって、動画像である。お勧め制御部３０３’は、お勧め画面の背景を、参照情報に応じた時間的位置を有する画像に設定する。すなわち、お勧め制御部３０３’は、参照情報に応じて動画に含まれるフレームを選択する。背景情報は、どのフレームがどのような画像であるかを示す情報を含んでおり、お勧め制御部３０３’は、その情報を参照してフレームを選択することができる。ここで、どのフレームがどのような画像であるかを示す情報とは、例えば、あるフレームの色度情報、輝度情報等に応じて、お勧め制御部３０３’によって決定される情報であり、より具体的には、あるフレームの画像が青空を含むのか、夕焼け空を含むのか、快晴を含むのか、雨模様を含むのか、夏らしい画像を含むのか、冬らしい画像を含むのか、温かみのある画像を含むのか、爽やかな画像を含むのか、桜の画像を含むのか等の情報である。
【０１１８】
お勧め制御部３０３’は、参照情報として時刻を示す時刻情報を取得した場合、背景情報が示す動画から、時刻情報に応じてフレームを選択し、選択したフレームをお勧め画面の背景に設定する。例えば、午前の時刻を示す時刻情報を取得した場合、お勧め制御部３０３’は、図１１の（ａ）に示すような爽やかな青空の画像のフレームを選択し、背景７１’ａに設定することができる。また、午後の時刻を示す時刻情報を取得した場合、お勧め制御部３０３’は、図１１の（ｂ）に示すような夕焼け空の画像のフレームを選択し、背景７１’ｂに設定することができる。
【０１１９】
お勧め制御部３０３’は、参照情報として天気を示す天気情報を取得した場合、背景情報に示される動画から、天気情報に応じてフレームを選択し、選択したフレームを背景に設定する。例えば、晴れていることを示す天気情報を取得した場合、お勧め制御部３０３’は、快晴の画像のフレームを選択し、背景に設定することができる。また、雨を示す天気情報を取得した場合、お勧め制御部３０３’は、雨模様の画像のフレームを選択し、背景に設定することができる。
【０１２０】
お勧め制御部３０３’は、参照情報として気温を示す気温情報を取得した場合、背景情報に示される動画から、気温情報に応じてフレームを選択し、選択したフレームを背景に設定する。例えば、２５度以上であることを示す気温情報を取得した場合、お勧め制御部３０３’は、夏らしい画像のフレームを選択し、背景に設定することができる。また、１０度未満を示す天気情報を取得した場合、お勧め制御部３０３’は、冬らしいの画像のフレームを選択し、背景に設定することができる。
【０１２１】
お勧め制御部３０３’は、参照情報として外部機器から情報を取得した場合、背景情報に示される動画から、外部機器から情報に応じてフレームを選択し、選択したフレームを背景に設定する。外部機器としては、家庭用電気製品、例えば調理家電、エアコン、照明器具等を挙げることができる。例えば、オーブンレンジ等の調理家電から、調理した食材やレシピを示す情報を取得した場合、お勧め制御部３０３’は、調理した食材やレシピに関連ある画像のフレームを選択し、背景に設定することができる。また、エアコンから、冷風を出力していることを示す情報を取得した場合、お勧め制御部３０３’は、爽やかな画像のフレームを選択し、背景に設定することができる。また、照明器具から、暖色系の光を照らしていることを示す情報を取得した場合、お勧め制御部３０３’は、温かみのある画像のフレームを選択し、背景に設定することができる。
【０１２２】
また、表示装置５’は、図１２の（ａ）に示すような、背景についての希望を入力することをユーザに促す画面７１ａ’’を表示してもよい。図１２の（ａ）に示す例において、画面７１ａ’’は、「集中したい」という希望文言を示すオブジェクト７９ａ、「部屋の雰囲気を変えたい」という希望文言を示すオブジェクト７９ｂ、「リラックスしたい」という希望文言を示すオブジェクト７９ｃ、を含む。図１２の（ａ）に示すような画面が表示された場合、ユーザは、リモコン６を介して、希望する背景を選択することができる。ユーザは、リモコン６のキーを操作することにより背景を選択してもよいし、リモコン６に対して発話をすることにより背景を選択してもよい。入力部２８は、リモコン６から、ユーザが選択した背景を示す、ユーザによる選択情報を取得する。なお、表示装置５’は、リモコン６に代えてスマートフォンから選択情報を取得してもよい。
【０１２３】
お勧め制御部３０３’は、参照情報としてユーザによる選択情報を取得した場合、背景情報に示される動画から、選択情報に応じてフレームを選択し、選択したフレームを背景に設定する。例えば、ユーザが「リラックスしたい」ことを希望していることを示す選択情報を取得した場合、お勧め制御部３０３’は、図１２の（ｂ）に示すような画像７１’’ｂのフレームを選択し、背景として設定することができる。
【０１２４】
また、参照情報は、行事等のイベントを示す情報であってもよい。例えば、お勧め制御部３０３’は、花見の時期に、桜の画像を背景として設定してもよい。
【０１２５】
このように、本実施形態の表示装置５’は、表示装置５’が設置される空間と一体となり、空間の演出をすることができる。
【０１２６】
なお、背景情報が、参照情報に応じた適切な画像を含んでいない場合は、お勧め情報取得部３０１’は、通信部２２’を介して、サーバに新たな背景情報を要求してもよい。
【０１２７】
また、上記では、実施形態２に係る表示装置５’において実施する形態を説明したが、実施形態１に係るＳＴＢ３で実現してもよい。
【０１２８】
（実施形態４）
本発明の他の実施形態について、図１３〜図１４に基づいて説明すれば、以下のとおりである。なお、説明の便宜上、前記実施形態にて説明した部材と同じ機能を有する部材については、その説明を省略する。
【０１２９】
本実施形態は、参照情報としてユーザの位置を示すユーザ位置情報を取得し、ユーザ位置情報に応じてお勧め画面の背景を設定する点において、前記実施形態と異なる。
【０１３０】
図１３は、本発明の実施形態４に係る表示装置５’ ’の要部構成を示すブロック図である。
【０１３１】
表示装置５’’は、制御部２０’’、記憶部２１’、通信部２２’、放送受信部２６、表示部２７、入力部２８、および人感センサ３４’’を備えている。表示装置５’ ’の記憶部２１’、通信部２２’、放送受信部２６、表示部２７、および入力部２８は、それぞれ、実施形態２に係る表示装置５’の記憶部２１’、通信部２２’、放送受信部２６、表示部２７、および入力部２８に対応する。
【０１３２】
人感センサ３４’’は、検出圏内のユーザの、表示装置５’’との相対的な位置を検出し、検出結果を、ユーザ有無判定部３００’と画面生成部３０３’’とに出力する点で異なる。人感センサ３４’’が検出した、ユーザの表示装置５’’との相対的な位置を示す情報を、ユーザ位置情報とよぶ。
【０１３３】
表示装置５’’の制御部２０’’は、放送コンテンツ制御部２０５、内部コンテンツ制御部２０６、外部コンテンツ制御部２０７、出力切替部２０９、ユーザ有無判定部３００’、背景情報取得部３０１’’、お勧め内容決定部３０２’、および画面生成部３０３’’として機能する。制御部２０’’の放送コンテンツ制御部２０５、内部コンテンツ制御部２０６、外部コンテンツ制御部２０７、出力切替部２０９、ユーザ有無判定部３００’、およびお勧め内容決定部３０２’は、それぞれ、実施形態２に係る表示装置５’ の制御部２０’の放送コンテンツ制御部２０５、内部コンテンツ制御部２０６、外部コンテンツ制御部２０７、出力切替部２０９、ユーザ有無判定部３００’、およびお勧め内容決定部３０２’に対応する。背景情報取得部３０１’’は、実施形態２に係る表示装置５’ のお勧め情報取得部３０１’と同様に機能する。
【０１３４】
本実施形態において、画面生成部３０３’’は、お勧め画面の背景を、参照情報に応じた空間的位置を有する画像に設定する。例えば、画面生成部３０３’’は、フレームの一部の領域のみが拡大された画像を背景に設定する。また、お勧め制御部３０３’は、画面を見るユーザの位置が動いているように、フレーム中の拡大対象の領域が移動するように画像を背景に設定する。
【０１３５】
画面生成部３０３’’は、参照情報として、人感センサ３４’から、ユーザ位置情報を取得し、ユーザ位置情報に応じて、背景を設定する。
【０１３６】
画面生成部３０３’’は、ユーザ位置情報を取得すると、背景として設定したフレームから、ユーザ位置情報に応じて定まる位置およびサイズにて画像を切り出し、切り出した画像を背景に再設定する。画面生成部３０３’’は、所定の条件が満たされる場合に、画像を切り出し、切り出した画像を背景に再設定することができる。所定の条件は、第１の条件と第２の条件とを含む。
【０１３７】
例えば、ユーザ位置情報が、ユーザ７ｂがある位置にいることを示す場合、画面生成部３０３’’は、図１４の（ｂ）に示すような画像７１’’’ｂを表示する。この場合、第２の条件が満たされる場合で、ユーザ位置情報が、ユーザ７ａがある位置よりも表示装置５’’から遠い位置にいることを示す場合、画面生成部３０３’’は、図１４の（ａ）に示すような、図１４の（ｂ）に示す画像７１’’’ｂと比較して、周辺部も含んだ画像（ズームアウトした画像）７１’’’ａを背景として設定することができる。すなわち、第２の条件が満たされる場合に、ユーザ７ｂがある位置にいる場合の画像の切り出し面積より、ユーザ７ａがある位置よりも表示装置５’’から遠い位置にいる場合の画面の切り出し面積を大きく設定する。これにより、ユーザは、が遠ざかったと感じることができる。また、第２の条件が満たされる場合で、ユーザ位置情報が、ユーザ７ｃがある位置よりも表示装置５’’に近い位置にいることを示す場合、画面生成部３０３’’は、図１４の（ｃ）に示すような、図１４の（ｂ）に示す画像７１’’’ｂと比較して、中心部分が拡大した画像７１’’’ｃ（ズームインした画像）を背景として設定することができる。すなわち、第２の条件が満たされる場合に、ユーザ７ｂがある位置にいる場合の画像の切り出し面積より、ユーザ７ｃがある位置よりも表示装置５’’に近い位置にいる場合の画面の切り出し面積を小さく設定する。これにより、ユーザは、背景が近づいたと感じることができる。背景が遠ざかったり、近づいたりすることで、ユーザは、表示装置５’’に遠ざかったり、近づいたりしていることを、より感じることができる。第２の条件の満たされている場合の例として、ユーザの視線が表示装置５’’を向いている場合、表示装置５’’がポップアップ表示をしていない場合、通常の最もお勧めと比較して、さらに強くお勧めするものがない場合、などを挙げることができる。
【０１３８】
逆に、第１の条件が満たされる場合に、ユーザ位置情報が、ユーザがある位置よりも表示装置５’’から遠い位置にいることを示す場合に、画面生成部３０３’’は、ズームインした画像を背景として設定してもよい。すなわち、第１の条件が満たされる場合に、ユーザがある位置にいる場合の画像の切り出し面積より、ユーザがある位置よりも表示装置５’’から遠い位置にいる場合の画面の切り出し面積を小さく設定する。また、ユーザ位置情報が、ユーザがある位置よりも表示装置５’’に近い位置にいることを示す場合、画面生成部３０３’’は、ズームアウトした画像を背景として設定してもよい。すなわち、第１の条件が満たされる場合に、ユーザがある位置にいる場合の画像の切り出し面積より、ユーザがある位置よりも表示装置５’’に近い位置にいる場合の画面の切り出し面積を大きく設定する。背景がズームインしたり、ズームアウトしたりすることで、カード７０が沈み込んだように見えたり、浮き出たように見えたりするので、ユーザの興味をよりカード７０に引き付けることができる。
【０１３９】
また、表示装置５’’は、視線の向きを検出する視線検出部（不図示）をさらに備え、画面生成部３０３’’は、視線の向きに応じて、背景を設定してもよい。ユーザの視線が表示装置５’’を向いていない場合、ユーザ位置情報が、ユーザがある位置よりも表示装置５’’から遠い位置にいることを示す場合、画面生成部３０３’’は、ズームインした画像を背景として設定することができる。また、ユーザ位置情報が、ユーザがある位置よりも表示装置５’’に近い位置にいることを示す場合、画面生成部３０３’’は、ズームアウトした画像を背景として設定することができる。この、ユーザの視線が表示装置５’’を向いていない場合は、上記の第１の条件が満たされている場合の一例である。
【０１４０】
また、画面生成部３０３’’は、表示装置５’’が、表示装置５’’からのお知らせ、広告等をポップアップ表示している間は、ユーザがある位置よりも表示装置５’’に近い位置にいる場合、ズームアウトした画像を背景に設定することができる。また、ユーザがある位置よりも表示装置５’’から遠い位置にいる場合、画面生成部３０３’’は、ズームインした画像を背景に設定することができる。これにより、ユーザの興味を、ポップアップ表示に引き付けることができる。この、表示装置５’’がポップアップ表示している場合は、上記の第１の条件が満たされている場合の一例である。
【０１４１】
また、画面生成部３０３’’は、通常の最もお勧めと比較して、さらに強くお勧めしたい場合、カード７０をさらに強調表示するように制御することができる。この場合、画面生成部３０３’’は、ユーザがある位置よりも表示装置５’’に近い位置にいる場合、ズームアウトした画像を背景に設定することができる。また、ユーザがある位置よりも表示装置５’’から遠い位置にいる場合、画面生成部３０３’’は、ズームインした画像を背景に設定することができる。ユーザの興味を、さらに強くお勧めしたいカード７０に引き付けることができる。この、通常の最もお勧めと比較して、さらに強くお勧めしたい場合は、上記の第１の条件が満たされている場合の一例である。
【０１４２】
また、画面生成部３０３’’は、ユーザがある位置よりも表示装置５’’と平行な面内において右側にいることを示すユーザ位置情報を取得した場合、フレーム内の右側の領域が拡大された画像を背景として設定することができる。逆に、画面生成部３０３’’は、ユーザがある位置よりも表示装置５’’と平行な面内において左側にいることを示すユーザ位置情報を取得した場合、フレーム内の左側の領域が拡大された画像を背景として設定することができる。
【０１４３】
また、画面生成部３０３’’は、ユーザの視線が所定の向きよりも上向きであることを示す情報を取得した場合、フレーム内の上側の領域が拡大された画像を背景として設定することができる。逆に、画面生成部３０３’’は、ユーザの視線が所定の向きよりも下向きであることを示す情報を取得した場合、フレーム内の下側の領域が拡大された画像を背景として設定することができる。
【０１４４】
ユーザの動きに背景を連動させることで、ユーザと表示装置５’’との連帯感がより強くなる。
【０１４５】
（実施形態５）
本発明の他の実施形態について説明する。
【０１４６】
本実施形態において、お勧め制御部３０３’は、背景上に、追加のオブジェクトを重畳する。
【０１４７】
お勧め制御部３０３’は、特定の時間に、特定のオブジェクトを重畳すること、例えば、図１５に示すように、深夜１２時に、ガラスの靴７７が、最もお勧めのコンテンツに関するカード７０の上辺に置かれるような画面を生成する。これにより、ユーザの興味をさらに引くことができる。
【０１４８】
また、お勧め制御部３０３’は、カード７０の上辺の上を歩いたり、あるカード７０から別のカード７０に飛び移ったり、カード７０から落下したり、カード７０を持ち上げるしぐさをしたりするキャラクターのオブジェクトを背景に重畳する。例えば、最もお勧めのコンテンツに関するキャラクターのオブジェクトを背景に重畳することで、より強くコンテンツをお勧めすることができる。
【０１４９】
〔ソフトウェアによる実現例〕
ＳＴＢ３の制御ブロック（特にお勧め情報取得部３０１およびお勧め制御部３０３）は、表示装置５’の制御ブロック（特にお勧め情報取得部３０１’およびお勧め制御部３０３’）、および表示装置５’の制御ブロック（特に背景情報取得部３０１’’および画面生成部３０３’’）は、集積回路（ＩＣチップ）等に形成された論理回路（ハードウェア）によって実現してもよいし、ＣＰＵ（Central Processing Unit）を用いてソフトウェアによって実現してもよい。
【０１５０】
後者の場合、ＳＴＢ３、表示装置５’、および表示装置５’’は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５１】
〔まとめ〕
本発明の態様１に係る表示装置５’は、複数のコンテンツのお勧め情報を表示部に表示する表示装置５’であって、背景情報を取得する背景情報取得部（お勧め情報取得部３０１’）と、お勧め画面を生成する画面生成部（お勧め制御部３０３’）と、表示部２７とを備え、上記画面生成部（お勧め制御部３０３’）は、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、上記背景情報取得部（お勧め情報取得部３０１’）が取得した背景情報に、上記最もお勧めのコンテンツに関連した背景情報が含まれている場合、上記最もお勧めのコンテンツに関連した背景情報が示す背景を当該お勧め画面の背景に設定し、上記表示部２７に、上記お勧め画面、および当該お勧め画面の背景を表示する。
【０１５２】
上記の構成によれば、複数のコンテンツのうち、あるコンテンツをお勧めしていることを、ユーザにわかりやすく伝えることができる。
【０１５３】
本発明の態様２に係る表示装置５’は、上記態様１において、上記画面生成部（お勧め制御部３０３）は、上記背景情報取得部（お勧め情報取得部３０１’）が取得した背景情報に上記最もお勧めのコンテンツに関連した背景情報が含まれていない場合、上記背景情報取得部が取得した他の背景情報が示す背景を当該お勧め画面の背景に設定してもよい。
【０１５４】
上記の構成によれば、最もお勧めのコンテンツと関連しない情報を伝えることができる。
【０１５５】
本発明の態様３に係る表示装置５’は、上記態様１または２において、上記画面生成部（お勧め制御部３０３’）が設定する背景には、上記最もお勧めのコンテンツに関する関連情報を表示するための操作オブジェクトが含まれていてもよい。
【０１５６】
上記の構成によれば、ユーザによる操作オブジェクトの選択により、さらにお勧めのコンテンツに関する関連情報を表示することができる。
【０１５７】
本発明の態様４に係る表示装置５’は、上記態様１から３の何れか１態様において、上記背景情報取得部（お勧め情報取得部３０１’）が取得する背景情報は、予め定められた背景情報、および、上記お勧め画面に含まれるオブジェクトが示すコンテンツのうち、何れか１つのコンテンツに関連付けられた背景情報よりなっていてよい。
【０１５８】
上記の構成によれば、取得する背景情報が予め定められた背景情報であった場合、取得する情報量を減らすことができるので、伝送負荷およびメモリ負荷を軽くすることができる。
【０１５９】
本発明の態様５に係る表示装置５’は、上記態様１から４の何れか１態様において、上記画面生成部（お勧め制御部３０３’）は、上記背景を、上記最もお勧めのコンテンツに含まれる画像であって、参照情報に応じた時間的位置又は空間的位置を有する画像に切り替えてもよい。
【０１６０】
上記の構成によれば、背景が切り替わるので、ユーザの興味をより引くことができる。
【０１６１】
本発明の態様６に係る表示装置５’は、上記態様５において、上記参照情報には、時刻情報が含まれており、上記画面生成部（お勧め制御部３０３’）は、上記最もお勧めのコンテンツに含まれる画像から、上記時刻情報に応じて画像を選択し、選択した画像を上記背景に設定してもよい。
【０１６２】
上記の構成によれば、ユーザに時刻を意識させることができる。
【０１６３】
本発明の態様７に係る表示装置５’は、上記態様５において、上記参照情報には、天気情報及び気温情報の少なくとも何れかが含まれており、上記画面生成部（お勧め制御部３０３’）は、上記最もお勧めのコンテンツに含まれる画像から、上記天気情報及び気温情報の少なくとも何れかに応じて画像を選択し、選択した画像を上記背景に設定してもよい。
【０１６４】
上記の構成によれば、ユーザに外の状況を意識させることができる。
【０１６５】
本発明の態様８に係る表示装置５’は、上記態様５において、上記参照情報には、外部機器から取得した情報が含まれており、上記画面生成部（お勧め制御部３０３’）は、上記最もお勧めのコンテンツに含まれる画像から、上記外部機器から取得した情報に応じて画像を選択し、選択した画像を上記背景に設定してもよい。
【０１６６】
上記の構成によれば、ユーザに、表示装置５’と外部機器との一体感を感じさせることができる。
【０１６７】
本発明の態様９に係る表示装置５’は、上記態様５において、上記参照情報には、ユーザによる選択情報が含まれており、上記画面生成部（お勧め制御部３０３’）は、上記最もお勧めのコンテンツに含まれる画像から、上記ユーザによる選択情報に応じて画像を選択し、選択した画像を上記背景に設定してもよい。
【０１６８】
上記の構成によれば、ユーザに所望の画像を提供することができる。
【０１６９】
本発明の態様１０に係る表示装置５’’は、上記態様５において、上記参照情報には、ユーザの位置を示すユーザ位置情報が含まれており、上記画面生成部３０３’’は、上記最もお勧めのコンテンツに含まれるフレームから、上記ユーザ位置情報に応じて定まる位置及びサイズにて画像を切り出し、当該切り出した画像を上記背景に設定してもよい。
【０１７０】
上記の構成によれば、ユーザに、ユーザと表示装置５’との一体感を感じさせることができる。
【０１７１】
本発明の態様１１に係る表示装置５’は、上記態様１０において、上記画面生成部３０３’’は、所定の条件が満たされる場合に、上記最もお勧めのコンテンツに含まれるフレームから、上記ユーザ位置情報に応じて定まる位置及びサイズにて画像を切り出し、当該切り出した画像を上記背景に設定してもよい。
【０１７２】
上記の構成によれば、所定の条件が満たされる場合に、切出しの動作を行うことができる。
【０１７３】
本発明の態様１２に係る表示装置５’は、上記態様１１において、上記所定の条件は、第１の条件と第２の条件とを含み、上記画面生成部は、上記第１の条件が満たされる場合に、ユーザがある位置にいる場合の画像の切り出し面積より、ユーザが上記ある位置よりも当該表示装置に近い位置にいる場合の切り出し面積を大きく設定し、上記第２の条件が満たされる場合に、ユーザがある位置にいる場合の画像の切り出し面積より、ユーザが上記ある位置よりも当該表示装置に近い位置にいる場合の切り出し面積を小さく設定してもよい。
【０１７４】
上記の構成によれば、条件に応じて、異なる背景を表示することができる。
【０１７５】
本発明の態様１３に係る表示装置５’は、上記態様１から１２の何れか一態様において、上記画面生成部（お勧め制御部３０３’）は、上記背景上に、追加のオブジェクトを重畳してもよい。
【０１７６】
上記の構成によれば、ユーザの興味をより引くことができる。
【０１７７】
本発明の態様１４に係る表示制御方法は、複数のコンテンツのお勧め情報を表示部２７に表示する表示装置５’の表示制御方法であって、背景情報を取得する背景情報取得ステップと、お勧め画面を生成する画面生成ステップと、表示ステップとを含み、上記画面生成ステップは、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および上記背景情報取得ステップにおいて取得した背景情報に、上記最もお勧めのコンテンツに関連した背景情報が含まれている場合、上記最もお勧めのコンテンツに関連した背景情報が示す背景を当該お勧め画面の背景に設定するステップを含み、上記表示ステップにおいて、上記お勧め画面、および当該お勧め画面の背景を表示する。
【０１７８】
本発明の態様１５に係る制御装置（ＳＴＢ３）は、複数のコンテンツのお勧め情報を表示装置に表示させる制御装置（ＳＴＢ３）であって、背景情報を取得する背景情報取得部（お勧め情報取得部３０１）と、お勧め画面を生成する画面生成部（お勧め制御部３０３）と、を備え、上記画面生成部（お勧め制御部３０３）は、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、上記背景情報取得部（お勧め情報取得部３０１）が取得した背景情報に上記最もお勧めのコンテンツに関連した背景情報が含まれている場合、上記最もお勧めのコンテンツに関連した背景情報が示す背景を当該お勧め画面の背景に設定する。
【０１７９】
本発明の態様１６に係る制御方法は、複数のコンテンツのお勧め情報を表示装置に表示させる制御装置の制御方法であって、背景情報を取得する背景情報取得ステップと、お勧め画面を生成する画面生成ステップと、を含み、上記画面生成ステップは、各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および上記背景情報取得ステップにおいて取得した背景情報に上記最もお勧めのコンテンツに関連した背景情報が含まれている場合、上記最もお勧めのコンテンツに関連した背景情報が示す背景を当該お勧め画面の背景に設定するステップを含む。
【０１８０】
上記の構成によれば、態様１と同様の効果を奏する。
【０１８１】
本発明の各態様に係る制御装置、および表示装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびコンピュータを上記表示装置が備える各部（ソフトウェア要素）として動作させることにより上記表示装置をコンピュータにて実現させる表示装置の表示制御プログラム、ならびにそれらを記録したコンピュータ読み取り可能な記録媒体も、本発明の範疇に入る。
【０１８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１８３】
３  ＳＴＢ（制御装置）
５’，５’’  表示装置
２７  表示部
３０１，３０１’  お勧め情報取得部（背景情報取得部）
３０１’’  背景情報取得部
３０３，３０３’  お勧め制御部（画面生成部）
３０３’’  画面生成部
【図１】
2018147455.tif 000003
【図２】
2018147455.tif 000004
【図３】
2018147455.tif 000005
【図４】
2018147455.tif 000006
【図５】
2018147455.tif 000007
【図６】
2018147455.tif 000008
【図７】
2018147455.tif 000009
【図８】
2018147455.tif 000010
【図９】
2018147455.tif 000011
【図１０】
2018147455.tif 000012
【図１１】
2018147455.tif 000013
【図１２】
2018147455.tif 000014
【図１３】
2018147455.tif 000015
【図１４】
2018147455.tif 000016
【図１５】
2018147455.tif 000017
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
複数のコンテンツのお勧め情報を表示部に表示する表示装置であって、
背景情報を取得する背景情報取得部と、
お勧め画面を生成する画面生成部と、
表示部と
を備え、
上記画面生成部は、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、
上記背景情報取得部が取得した背景情報に、上記最もお勧めのコンテンツに関連した背景情報が含まれている場合、上記最もお勧めのコンテンツに関連した背景情報が示す背景を当該お勧め画面の背景に設定し、
上記表示部に、上記お勧め画面、および当該お勧め画面の背景を表示し、
上記画面生成部は、上記背景上に、上記最もお勧めのコンテンツに関する追加のオブジェクトを重畳する
ことを特徴とする表示装置。
【請求項２】
上記画面生成部は、
上記背景情報取得部が取得した背景情報に上記最もお勧めのコンテンツに関連した背景情報が含まれていない場合、上記背景情報取得部が取得した他の背景情報が示す背景を当該お勧め画面の背景に設定する
ことを特徴とする請求項１に記載の表示装置。
【請求項３】
上記画面生成部が設定する背景には、
上記最もお勧めのコンテンツに関する関連情報を表示するための操作オブジェクトが含まれている
ことを特徴とする請求項１または２に記載の表示装置。
【請求項４】
上記背景情報取得部が取得する背景情報は、
予め定められた背景情報、および、上記お勧め画面に含まれるオブジェクトが示すコンテンツのうち、何れか１つのコンテンツに関連付けられた背景情報よりなる
ことを特徴とする請求項１から３の何れか１項に記載の表示装置。
【請求項５】
上記画面生成部は、上記背景を、上記最もお勧めのコンテンツに含まれる画像であって、参照情報に応じた時間的位置又は空間的位置を有する画像に切り替えることを特徴とする請求項１から４の何れか１項に記載の表示装置。
【請求項６】
上記参照情報には、時刻情報が含まれており、
上記画面生成部は、上記最もお勧めのコンテンツに含まれる画像から、上記時刻情報に応じて画像を選択し、選択した画像を上記背景に設定する
ことを特徴とする請求項５に記載の表示装置。
【請求項７】
上記参照情報には、天気情報及び気温情報の少なくとも何れかが含まれており、
上記画面生成部は、上記最もお勧めのコンテンツに含まれる画像から、上記天気情報及び気温情報の少なくとも何れかに応じて画像を選択し、選択した画像を上記背景に設定することを特徴とする請求項５に記載の表示装置。
【請求項８】
上記参照情報には、外部機器から取得した情報が含まれており、
上記画面生成部は、上記最もお勧めのコンテンツに含まれる画像から、上記外部機器から取得した情報に応じて画像を選択し、選択した画像を上記背景に設定することを特徴とする請求項５に記載の表示装置。
【請求項９】
上記参照情報には、ユーザによる選択情報が含まれており、
上記画面生成部は、上記最もお勧めのコンテンツに含まれる画像から、上記ユーザによる選択情報に応じて画像を選択し、選択した画像を上記背景に設定することを特徴とする請求項５に記載の表示装置。
【請求項１０】
上記参照情報には、ユーザの位置を示すユーザ位置情報が含まれており、
上記画面生成部は、上記最もお勧めのコンテンツに含まれるフレームから、上記ユーザ位置情報に応じて定まる位置及びサイズにて画像を切り出し、当該切り出した画像を上記背景に設定することを特徴とする請求項５に記載の表示装置。
【請求項１１】
上記画面生成部は、所定の条件が満たされる場合に、上記最もお勧めのコンテンツに含まれるフレームから、上記ユーザ位置情報に応じて定まる位置及びサイズにて画像を切り出し、当該切り出した画像を上記背景に設定する
ことを特徴とする請求項１０に記載の表示装置。
【請求項１２】
上記所定の条件は、第１の条件と第２の条件とを含み、
上記画面生成部は、
上記第１の条件が満たされる場合に、
ユーザがある位置にいる場合の画像の切り出し面積より、ユーザが上記ある位置よりも当該表示装置に近い位置にいる場合の切り出し面積を大きく設定し、
上記第２の条件が満たされる場合に、
ユーザがある位置にいる場合の画像の切り出し面積より、ユーザが上記ある位置よりも当該表示装置に近い位置にいる場合の切り出し面積を小さく設定する
ことを特徴とする請求項１１に記載の表示装置。
【請求項１３】
請求項１から１２の何れか１項に記載の表示装置を備えることを特徴とするテレビジョン受像機。
【請求項１４】
複数のコンテンツのお勧め情報を表示部に表示する表示装置の表示制御方法であって、
背景情報を取得する背景情報取得ステップと、
お勧め画面を生成する画面生成ステップと、
表示ステップと
を含み、
上記画面生成ステップは、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および
上記背景情報取得ステップにおいて取得した背景情報に、上記最もお勧めのコンテンツに関連した背景情報が含まれている場合、上記最もお勧めのコンテンツに関連した背景情報が示す背景を当該お勧め画面の背景に設定するステップを含み、
上記表示ステップにおいて、上記お勧め画面、および当該お勧め画面の背景を表示し、
上記画面生成ステップは、上記背景上に、上記最もお勧めのコンテンツに関する追加のオブジェクトを重畳する
ことを特徴とする表示制御方法。
【請求項１５】
請求項１から１２の何れか１項に記載の表示装置としてコンピュータを機能させるための表示制御プログラムであって、上記背景情報取得部および上記画面生成部としてコンピュータを機能させるための表示制御プログラム。
【請求項１６】
請求項１５に記載の表示制御プログラムを記録したコンピュータ読み取り可能な記録媒体。
【請求項１７】
複数のコンテンツのお勧め情報を表示装置に表示させる制御装置であって、
背景情報を取得する背景情報取得部と、
お勧め画面を生成する画面生成部と、
を備え、
上記画面生成部は、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成し、
上記背景情報取得部が取得した背景情報に上記最もお勧めのコンテンツに関連した背景情報が含まれている場合、上記最もお勧めのコンテンツに関連した背景情報が示す背景を当該お勧め画面の背景に設定し、
上記画面生成部は、上記背景上に、上記最もお勧めのコンテンツに関する追加のオブジェクトを重畳する
ことを特徴とする制御装置。
【請求項１８】
複数のコンテンツのお勧め情報を表示装置に表示させる制御装置の制御方法であって、
背景情報を取得する背景情報取得ステップと、
お勧め画面を生成する画面生成ステップと、
を含み、
上記画面生成ステップは、
各コンテンツの表示を開始させるためのコンテンツ毎のオブジェクトを含むお勧め画面であって、上記コンテンツ毎のオブジェクトのうち、最もお勧めのコンテンツに関するオブジェクトが強調表示されるお勧め画面を生成するステップ、および
上記背景情報取得ステップにおいて取得した背景情報に上記最もお勧めのコンテンツに関連した背景情報が含まれている場合、上記最もお勧めのコンテンツに関連した背景情報が示す背景を当該お勧め画面の背景に設定するステップを含み、
上記画面生成ステップは、上記背景上に、上記最もお勧めのコンテンツに関する追加のオブジェクトを重畳する
ことを特徴とする制御方法。
【請求項１９】
請求項１７に記載の制御装置としてコンピュータを機能させるための制御プログラムであって、上記背景情報取得部および上記画面生成部としてコンピュータを機能させるための制御プログラム。
【請求項２０】
請求項１９に記載の制御プログラムを記録したコンピュータ読み取り可能な記録媒体。
【手続補正２】
【補正対象書類名】明細書
【補正対象項目名】００４０
【補正方法】変更
【補正の内容】
【００４０】
端末認証部１００は、ＳＴＢ３の認証を行う。具体的には、端末認証部１００は、ＳＴＢ３から受信した機器ＩＤと、予め登録されている機器ＩＤとが一致するか判定し、一致すれば認証成功、一致しなければ認証失敗とする。認証成功した端末装置４は、お勧め情報の通知対象となる。
【手続補正３】
【補正対象書類名】明細書
【補正対象項目名】００４６
【補正方法】変更
【補正の内容】
【００４６】
情報送信部１０５は、お勧め情報生成部１０２が生成したお勧め情報と、レイアウト選択部１０４が選択したレイアウトとを端末装置４に通知して、該レイアウトにて上記お勧め情報を出力させる。
【手続補正４】
【補正対象書類名】明細書
【補正対象項目名】００８６
【補正方法】変更
【補正の内容】
【００８６】
出力切替部２０９は、端末装置４の出力対象を、放送コンテンツ、内部コンテンツ、外部コンテンツ、およびお勧め画面の何れかに切り替える。なお、切り替え対象にはこれら以外のものが含まれていてもよい。
【手続補正５】
【補正対象書類名】明細書
【補正対象項目名】０１２０
【補正方法】変更
【補正の内容】
【０１２０】
お勧め制御部３０３’は、参照情報として気温を示す気温情報を取得した場合、背景情報に示される動画から、気温情報に応じてフレームを選択し、選択したフレームを背景に設定する。例えば、２５度以上であることを示す気温情報を取得した場合、お勧め制御部３０３’は、夏らしい画像のフレームを選択し、背景に設定することができる。また、１０度未満を示す気温情報を取得した場合、お勧め制御部３０３’は、冬らしいの画像のフレームを選択し、背景に設定することができる。
【手続補正６】
【補正対象書類名】明細書
【補正対象項目名】０１３７
【補正方法】変更
【補正の内容】
【０１３７】
例えば、ユーザ位置情報が、ユーザ７ｂがある位置にいることを示す場合、画面生成部３０３’’は、図１４の（ｂ）に示すような画像７１’’’ｂを表示する。この場合、第２の条件が満たされる場合で、ユーザ位置情報が、ユーザ７ａがある位置よりも表示装置５’’から遠い位置にいることを示す場合、画面生成部３０３’’は、図１４の（ａ）に示すような、図１４の（ｂ）に示す画像７１’’’ｂと比較して、周辺部も含んだ画像（ズームアウトした画像）７１’’’ａを背景として設定することができる。すなわち、第２の条件が満たされる場合に、ユーザ７ｂがある位置にいる場合の画像の切り出し面積より、ユーザ７ａがある位置よりも表示装置５’’から遠い位置にいる場合の画面の切り出し面積を大きく設定する。これにより、ユーザは、背景が遠ざかったと感じることができる。また、第２の条件が満たされる場合で、ユーザ位置情報が、ユーザ７ｃがある位置よりも表示装置５’’に近い位置にいることを示す場合、画面生成部３０３’’は、図１４の（ｃ）に示すような、図１４の（ｂ）に示す画像７１’’’ｂと比較して、中心部分が拡大した画像７１’’’ｃ（ズームインした画像）を背景として設定することができる。すなわち、第２の条件が満たされる場合に、ユーザ７ｂがある位置にいる場合の画像の切り出し面積より、ユーザ７ｃがある位置よりも表示装置５’’に近い位置にいる場合の画面の切り出し面積を小さく設定する。これにより、ユーザは、背景が近づいたと感じることができる。背景が遠ざかったり、近づいたりすることで、ユーザは、表示装置５’’に遠ざかったり、近づいたりしていることを、より感じることができる。第２の条件の満たされている場合の例として、ユーザの視線が表示装置５’’を向いている場合、表示装置５’’がポップアップ表示をしていない場合、通常の最もお勧めと比較して、さらに強くお勧めするものがない場合、などを挙げることができる。
【手続補正７】
【補正対象書類名】明細書
【補正対象項目名】０１４９
【補正方法】変更
【補正の内容】
【０１４９】
〔ソフトウェアによる実現例〕
ＳＴＢ３の制御ブロック（特にお勧め情報取得部３０１およびお勧め制御部３０３）は、表示装置５’の制御ブロック（特にお勧め情報取得部３０１’およびお勧め制御部３０３’）、および表示装置５’’の制御ブロック（特に背景情報取得部３０１’’および画面生成部３０３’’）は、集積回路（ＩＣチップ）等に形成された論理回路（ハードウェア）によって実現してもよいし、ＣＰＵ（Central Processing Unit）を用いてソフトウェアによって実現してもよい。
【手続補正８】
【補正対象書類名】明細書
【補正対象項目名】０１５３
【補正方法】変更
【補正の内容】
【０１５３】
本発明の態様２に係る表示装置５’は、上記態様１において、上記画面生成部（お勧め制御部３０３’）は、上記背景情報取得部（お勧め情報取得部３０１’）が取得した背景情報に上記最もお勧めのコンテンツに関連した背景情報が含まれていない場合、上記背景情報取得部が取得した他の背景情報が示す背景を当該お勧め画面の背景に設定してもよい。